(57)【要約】【課題】意図しない間接活線用カバーの開放を防止可能な間接活線用カバーを提供する。【解決手段】連結部２を中心として開閉可能な間接活線用カバーであって、第１カバー体３Ａにおける、連結部２に対して収納空間５を挟んだ反対側の縁部から外側に延びる且つ嵌合孔７ａが設けられた第１延出部７と、第２カバー体３Ｂにおける、連結部２に対して収納空間５を挟んだ反対側の縁部から外側に延び且つ閉状態で第１延出部７と対向し、且つ嵌合孔７ａを貫通する嵌合凸部８ａが設けられた第２延出部と、２本の腕部１１ａ，１１ｂ及び２本の腕部同士を連結する係合部１２とを有するＵ字型で、２本の腕部が第１延出部７または第２延出部のうちの一方の延出部に回転可能に取り付けられ、閉状態で、一方の延出部に対して回転させることにより、係合部１２を、他方の延出部の背面側に移動させて係止させることにより、第１延出部７と第２延出部との密着状態を保持するロック部材１０とを備える。【選択図】図１
2020174420.tif 000002
【特許請求の範囲】
【請求項１】
連結部により互いに連結され、前記連結部を通る軸線を中心として開閉可能で、閉状態で電線を収容する収納空間が間に設けられる一対の第１カバー体と第２カバー体とを備える間接活線用カバーであって、
前記第１カバー体における、前記連結部に対して前記収納空間を挟んだ反対側の縁部から外側に延びるとともに、嵌合孔が設けられた第１延出部と、
前記第２カバー体における、前記連結部に対して前記収納空間を挟んだ反対側の縁部から外側に延びるとともに、前記閉状態で前記第１延出部と対向し、且つ前記嵌合孔を貫通する嵌合凸部が設けられた第２延出部と、
２本の腕部及び前記２本の腕部同士を連結する係合部とを有するＵ字型で、前記２本の腕部が前記第１延出部または前記第２延出部のうちの一方の延出部に回転可能に取り付けられ、前記閉状態で、前記一方の延出部に対して回転させることにより、前記係合部を、他方の延出部の背面側に移動させ、前記背面に係止させることにより、前記第１延出部と前記第２延出部との密着状態を保持するロック部材と、
を備える間接活線用カバー。
【請求項２】
前記背面には、前記軸線と平行に延びる複数の段部が形成され、
前記ロック部材の前記係合部における、前記背面に係止される内面には段部が形成され、
前記背面の前記段部と、前記係合部の前記段部とが噛み合うことにより、前記係合部が前記背面に係止される、
請求項１に記載の間接活線用カバー。
【請求項３】
前記背面の前記段部は、前記連結部側に向かう段部である、
請求項２に記載の間接活線用カバー。
【請求項４】
前記背面は、前記連結部側と逆側に行くに従い、前記一方の延出部と対向する対向面との間の距離が近くなる斜面である、
請求項１から３のいずれか１項に記載の間接活線用カバー。
【請求項５】
前記嵌合凸部は、前記閉状態で、前記第１延出部の前記嵌合孔を貫通して前記第１延出部の側壁よりも外側に突出し、
前記ロック部材は、前記第２延出部に取り付けられ、前記閉状態で、前記第２延出部に対して回転させることにより、前記係合部を、前記第１延出部の背面側に移動させ、前記嵌合凸部の前記第１延出部よりも突出した先端部分に載置することにより、前記背面に係止される、
請求項１から４のいずれか１項に記載の間接活線用カバー。
【請求項６】
前記ロック部材の前記腕部が、弾性体で製造されている、
請求項１から５のいずれか１項に記載の間接活線用カバー。
【発明の詳細な説明】
【技術分野】
【０００１】
本発明は、コネクタカバーやクランプカバーといった間接活線用カバーに関する。
【背景技術】
【０００２】
高圧配電線と引下線との接続部分はコネクタカバーで覆われている（特許文献１参照）。また、電線を電柱に架設する際のクランプ部分はクランプカバーで覆われている。これらのコネクタカバーやクランプカバーといった間接活線用カバーは、ヒンジ部で連結された一対のカバー体を備え、そのカバー体の内部に電線を収納している。一対のカバー体は、一方のカバー体に設けられた嵌合凸部と、他方のカバー体に設けられた嵌合孔とが嵌合することによって、開放が防止されている。
【先行技術文献】
【特許文献】
【０００３】
【特許文献１】特開２０１６−１４４３２８号公報
【発明の概要】
【発明が解決しようとする課題】
【０００４】
しかし、電線の振動等で嵌合凸部が嵌合孔から外れて間接活線用カバーが開く場合がある。そうすると、間接活線用カバーが開いて脱落する可能性がある。また、間接活線用カバーが脱落すると充電部が露出し、鳥獣が充電部に触れることにより配電線に故障が発生し、急な停電が発生する可能性もある。
現状においては、間接活線用カバーの嵌合凸部が嵌合孔から外れるたびに改修している。改修の際、いわゆるヤットコと呼ばれる工具で嵌合凸部が設けられている部分と嵌合孔が設けられている部分とを挟むが、それを何度も繰り返すとそれらの部分が破損する。そうすると間接活線用カバー全体の取り替えが必要となる。
【０００５】
本発明は、意図しない間接活線用カバーの開放を防止可能な間接活線用カバーを提供することを目的とする。
【課題を解決するための手段】
【０００６】
上記課題を解決するために、本発明の一態様は、連結部により互いに連結され、前記連結部を通る軸線を中心として開閉可能で、閉状態で電線を収容する収納空間が間に設けられる一対の第１カバー体と第２カバー体とを備える間接活線用カバーであって、前記第１カバー体における、前記連結部に対して前記収納空間を挟んだ反対側の縁部から外側に延びるとともに、嵌合孔が設けられた第１延出部と、前記第２カバー体における、前記連結部に対して前記収納空間を挟んだ反対側の縁部から外側に延びるとともに、前記閉状態で前記第１延出部と対向し、且つ前記嵌合孔を貫通する嵌合凸部が設けられた第２延出部と、２本の腕部及び前記２本の腕部同士を連結する係合部とを有するＵ字型で、前記２本の腕部が前記第１延出部または前記第２延出部のうちの一方の延出部に回転可能に取り付けられ、前記閉状態で、前記一方の延出部に対して回転させることにより、前記係合部を、他方の延出部の背面側に移動させ、前記背面に係止させることにより、前記第１延出部と前記第２延出部との密着状態を保持するロック部材と、を備える間接活線用カバーを提供する。
【０００７】
前記背面には、前記軸線と平行に延びる複数の段部が形成され、前記ロック部材の前記係合部における、前記背面に係止される内面には段部が形成され、前記背面の前記段部と、前記係合部の前記段部とが噛み合うことにより、前記係合部が前記背面に係止されていてもよい。
【０００８】
前記背面の前記段部は、前記連結部側に向かう段部であってもよい。
【０００９】
前記背面は、前記連結部側と逆側に行くに従い、前記一方の延出部と対向する対向面との間の距離が近くなる斜面であってもよい。
【００１０】
前記嵌合凸部は、前記閉状態で、前記第１延出部の前記嵌合孔を貫通して前記第１延出部の側壁よりも外側に突出し、前記ロック部材は、前記第２延出部に取り付けられ、前記閉状態で、前記第２延出部に対して回転させることにより、前記係合部を、前記第１延出部の背面側に移動させ、前記嵌合凸部の前記第１延出部よりも突出した先端部分に載置することにより、前記背面に係止されていてもよい。
【００１１】
前記ロック部材の前記腕部が、弾性体で製造されていてもよい。
【発明の効果】
【００１２】
本発明によれば、意図しない間接活線用カバーの開放を防止可能な間接活線用カバーを提供することができる。
【図面の簡単な説明】
【００１３】
【図１】第１実施形態としての引下線用のコネクタカバー１を示す図で、コネクタカバー１が開いた状態（開状態）を示す。
【図２】閉じた状態（閉状態）のコネクタカバー１の側面図である。
【図３】ロック部材１０の斜視図である。
【図４】第２延出部８の段部８４に係合部１２の段部１４が係合した状態を説明する断面図である。
【図５】コネクタカバー１を電線１００に取り付ける作業を示す説明図である。
【図６】閉じた状態（閉状態）の第２実施形態のコネクタカバー１０１の側面図である。
【発明を実施するための形態】
【００１４】
（第１実施形態）
以下、本発明の第１実施形態について図面を参照しながら説明する。図１は、間接活線用カバーの第１実施形態としての引下線用のコネクタカバー１を示す図で、コネクタカバー１が開いた状態（開状態）を示す。図中に示す左右を、以下、明細書中、左右方向として説明する。なお、実施形態では、間接活線用カバーの一実施形態としてコネクタカバー１について説明するが、これに限らず、例えばクランプカバーであってもよい。
【００１５】
図２は閉じた状態（閉状態）の第１実施形態のコネクタカバー１の側面図である。コネクタカバー１を電線１００に取り付けると、コネクタカバー１は図中に示す上下方向を向く。以下、図示する上下前後を、明細書中、上下方向及び前後方向として説明する。
【００１６】
コネクタカバー１は、連結部であるヒンジ部２により互いに連結され、ヒンジ部２を通る軸線２Ｌを中心として開閉可能で、閉状態で電線１００を収容する収納空間５が互いの間に設けられる一対のカバー体（第１カバー体３Ａ，第２カバー体３Ｂ）とを備える。
【００１７】
第１カバー体３Ａと第２カバー体３Ｂの左右の両端には、それぞれ挿通口４を軸線Ｌ２方向に二分割した形状の凹部が形成されており、第１カバー体３Ａと第２カバー体３Ｂとが閉じると、電線１００を挿通する挿通口４が形成される。
【００１８】
第２カバー体３Ｂの収納空間５を挟んだヒンジ部２と反対側の縁部の中央部には、軸線２Ｌから離れる方向（外方，図２において下方）に延びる把持部９が形成されている。
【００１９】
第１カバー体３Ａの、収納空間５を挟んだヒンジ部２と反対側の縁部における左右には、軸線２Ｌから離れる方向（外方，図２において下方）に延び、且つ嵌合孔７ａ（図１に図示）が設けられた第１延出部７が設けられている。
第１延出部７における、ヒンジ部２に対して直交する方向（図２において上下）に延びる２つの側面７１ａ，７１ｂのそれぞれに、左右に突出した保持部であるピン７２ａ，７２ｂが設けられている。
【００２０】
第１延出部７にはロック部材１０が取り付けられている。図３はロック部材１０の斜視図である。ロック部材１０は、２つのピン７２ａ，７２ｂが通る孔１３ａ，１３ｂが設けられ、２つのピン７２ａ，７２ｂの中心を通る回転軸ｍを中心として回転可能に取り付けられた２本の腕部１１ａ，１１ｂと、２本の腕部１１ａ，１１ｂにおける孔１３ａ，１３ｂが設けられている側と反対側の端部を互いに連結する係合部１２とを有する。
なお、ピン７２ａ，７２ｂと孔１３ａ，１３ｂとは、ある程度、力を加えないと腕部１１ａ，１１ｂがピン７２ａ，７２ｂを中心として回転しない程度の嵌合径で嵌合している。
また、２本の腕部１１ａ，１１ｂは弾性部材で製造されており、係合部１２を回転軸ｍから離れる方向に引っ張ると、腕部１１ａ，１１ｂが延びて係合部１２と回転軸ｍとの距離が広がり、引っ張りを解除すると、腕部１１ａ，１１ｂがもとの長さに戻る。
【００２１】
係合部１２の内面（第１延出部７側を向く面）は傾斜し、且つ段部１４が設けられている。傾斜方向は、第１延出部７に取り付けられ、係合部１２が下がっている図２の状態で、第２延出部８側に向かうに従い（図中前側に向かうに従い）係合部１２の厚さが徐々に薄くなる方向である。すなわち、第２延出部８側に向かうに従い（図中前側に向かうに従い）、係合部１２の内面が徐々に下がるように傾斜している。
【００２２】
段部１４は、傾斜してる内面に設けられ、段部１４の稜線は、腕部１１ａ，１１ｂ間を延びる直線となる。すなわち段部１４の稜線は回転軸ｍ及び軸線２Ｌと平行に延びている。
【００２３】
第２カバー体３Ｂの、収納空間５を挟んだヒンジ部２と反対側の縁部における左右のそれぞれには、軸線２Ｌから離れる方向（外方，図２において下方）延び、且つ嵌合凸部８ａ（図１に図示）が設けられた第２延出部８が設けられている。
【００２４】
第２延出部８における、第１延出部７との対向面８１の反対側の背面８２は、対向面８１との距離が、軸線２Ｌから離れる方向（外方，図２において下方）に行くに従い近くなる斜面となっている。すなわち、第２延出部８は、下方に行くほど薄くなっている。なお、第１延出部７との対向面８１は図２の状態で、鉛直方向に真っすぐに延びている。
【００２５】
また、第２延出部８の背面８２には、稜線が軸線２Ｌと平行に延びる複数の段部８４が形成されている。図４は第２延出部８の段部８４の形状と、後述するように段部８４に係合部１２の段部１４が係合した状態を説明する断面図である。
第２延出部８の背面８２の段部８４は、上側に向かって傾いた段部である。すなわち１つの段部８４を形成する２つの面は、両方とも突出した角に向かうにしたがって、軸線２Ｌ側の上側に向かう。
【００２６】
（取り付け方法）
図５は、コネクタカバー１を電線１００に取り付ける作業を示す説明図である。
コネクタカバー１を電線１００に取り付ける作業は、ヤットコと称される間接活線工具（以下、ヤットコ２００と称する）と、細い金属棒を略三角形に曲げてなるフック形状の先端工具を有するカバー押さえ器２０１とを用いて行われる。
【００２７】
まず、作業員は、開状態において、コネクタカバー１の把持部９をヤットコ２００で保持し、ヤットコ２００を操作してコネクタカバー１を電線１００に載せる。
このとき、第１延出部７の側面７１ａ，７１ｂのそれぞれに設けられたピン７２ａ，７２ｂと、ロック部材１０の腕部１１ａ，１１ｂに設けられた孔１３ａ，１３ｂとは、ある程度力を加えないと回転しない程度の嵌合径で取り付けられている。したがって、ロック部材１０は係合部１２が下方に垂れ下がることなく、腕部１１ａ，１１ｂは第１延出部７と一直線上に延びた形で保持されている。
なお、作業員は、コネクタカバー１を電線１００に載せた後も、コネクタカバー１がずれたり、電線１００から落下しないようにヤットコ２００で把持した状態を継続する。
【００２８】
次に、別の作業員が、カバー押さえ器２０１を操作し、フック形状の先端工具をコネクタカバー１の上方に配置し、ヒンジ部２に先端工具を引っ掛けながら下方に引っ張る。これにより、カバー体３（第１カバー体３Ａ，第２カバー体３Ｂ）が、ヒンジ部２（軸線２Ｌ）を中心として回転して閉状態となる。
【００２９】
作業員が、ヤットコ２００を操作して把持部９の端を解除し、次に第１延出部７と第２延出部８とを把持して、第１延出部７と第２延出部８とのそれぞれの対向面７１，８１を当接させると、嵌合孔７ａに嵌合凸部８ａが嵌合される。
このとき第１延出部７とロック部材１０とが一直線であり、両者合わせた長さが第１延出部７だけの場合より長くなっているので、作業員は第１延出部７の部分を把持しやすい。
また、第２延出部８の背面８２が斜面になっており、さらに段部８４が形成されているのでヤットコが滑りにくく、第２延出部８も把持しやすい。
【００３０】
図２の閉状態において、ロック部材１０は、係合部１２が下方に位置している状態である。作業員は、第１延出部７と第２延出部８とのヤットコ２００による把持を解除して、ロック部材１０の係合部１２を把持する。そしてロック部材１０を、回転軸ｍを中心として図２に図示する一点鎖線の矢印の方向（第２延出部８側）に回転させる。
このとき、係合部１２を、回転軸ｍから離れる方向に引っ張ると、弾性部材で製造されている腕部１１ａ，１１ｂは延び、係合部１２の内側の段部１４が第２延出部８の下端にぶつかることなく、ロック部材１０の回転が可能となる。
係合部１２を、第２延出部８の下端を通って第２延出部８の背面８２に移動させる。その後、ヤットコ２００を離すと、腕部１１ａ，１１ｂがもとの長さに戻る。これによりロック部材１０の段部１４と、第１延出部７の背面８２の段部８４とが噛み合い、ロック部材１０が第２延出部８の背面８２に保持される。
【００３１】
以上、本実施形態によると、以下の効果を有する。
ロック部材１０の段部１４と、第１延出部７の背面８２の段部８４とが噛み合い、ロック部材１０が第２延出部８の背面８２に保持されるので、第１延出部７と第２延出部８は離間しにくく、すなわち、嵌合孔７ａから嵌合凸部８ａが外れにくい。
また、第１延出部７の背面８２の段部８４が上向きになっているので、ロック部材１０の段部１４は、第１延出部７の背面８２の段部８４から、より外れにくい。
ゆえに、例えば電線の振動等によって嵌合孔７ａからの嵌合凸部８ａが外れる可能性が低減され、第１延出部７と第２延出部８との密着状態が保持され、第１カバー体３Ａと第２カバー体３Ｂとが開くことがない。
ゆえに、嵌合孔７ａからの嵌合凸部８ａが外れてコネクタカバー１が脱落する可能性が低減される。電線の接合箇所が露出する可能性が低減され、鳥獣害による配電線の故障を防止できる。また、嵌合孔７ａからの嵌合凸部８ａが外れるたびにかかっていた改修費用が不要となり、コスト削減が可能となる。
【００３２】
（第２実施形態）
次に、本発明の第２実施形態について図面を参照しながら説明する。図６は、閉じた状態（閉状態）の第２実施形態のコネクタカバー１０１の側面図である。第２実施形態が第１実施形態と異なる点は以下である。
第２延出部８に設けられている嵌合凸部１０８ａは、閉状態で、第１延出部７の嵌合孔１０７ａを貫通して第１延出部７の側壁よりも外側に突出している。また、ロック部材１１０が第２延出部８に取り付けられている。ロック部材１１０の係合部１１２の内面は斜面でなく且つ段部が設けられていない。
【００３３】
また嵌合凸部１０８ａは、根元付近に第１延出部７の嵌合孔１０７ａよりも若干径が大きい大径部１０８ｂを有する。嵌合凸部１０８ａが嵌合孔１０７ａに挿入され、大径部１０８ｂが嵌合孔１０７ａを貫通する際、大径部１０８ｂまたは嵌合孔１０７ａが弾性変形する。大径部１０８ｂの通過後は、大径部１０８ｂまたは嵌合孔１０７ａの弾性変形がもとに戻るので、嵌合凸部１０８ａが嵌合孔１０７からより抜けにくくなる。
【００３４】
第２実施形態によると、閉状態で、ロック部材１１０を第２延出部８に対して回転させることにより、係合部１１２を、第１延出部７の背面７３側に移動させ、嵌合凸部１０８ａの第１延出部７の背面７３よりも突出した先端部分に載置することにより、ロック部材１１０を嵌合凸部１０８ａの背面７３側に係止することができる。
なお、嵌合凸部１０８ａの先端の下部１０８ｃは、滑らかにカーブしており、係合部１１２の第１延出部７の背面７３側への移動の支障になることがない。
以上、第２実施形態においても、第１実施形態と同様の効果を有する。
【符号の説明】
【００３５】
ｍ    回転軸
１    コネクタカバー
２    ヒンジ部
２    腕部
２Ｌ    軸線
３    カバー体
３Ａ    第１カバー体
３Ｂ    第２カバー体
４    挿通口
５    収納空間
７    第１延出部
７ａ    嵌合孔
８    第２延出部
８ａ    嵌合凸部
９    把持部
１０    ロック部材
１１ａ    腕部
１１ｂ    腕部
１２    係合部
１３ａ    孔
１３ｂ    孔
１４    段部
７１    対向面
７１ａ    側面
７１ｂ    側面
７２ａ    ピン
７２ｂ    ピン
８１    対向面
８２    背面
８４    段部
１００    電線
２００    ヤットコ
２０１    カバー押さえ器
【図１】
2020174420.tif 000003
【図２】
2020174420.tif 000004
【図３】
2020174420.tif 000005
【図４】
2020174420.tif 000006
【図５】
2020174420.tif 000007
【図６】
2020174420.tif 000008